(57)【特許請求の範囲】
【請求項１】
容器本体の口筒部に装着されるポンプを具えるポンプ付き容器であって、
容器本体の口筒部内周には、上部を残して拡径された拡径内周が形成され、
ポンプは、内周が口筒部の外周に嵌合する装着筒と、シリンダーと、吸上げパイプを有し、
容器本体の口筒部内周に、詰め替え防止部材が装着され、  
前記詰め替え防止部材は、シリンダーを外側から覆うように形成された周壁と、吸上げパイプが挿通される挿通孔が形成された底壁を有し、
前記周壁は、上段周壁と、上段周壁の下方に段部を介して形成される中段周壁を有し、
前記中段周壁の外径は前記上段周壁の外径より小さくなっており、
前記段部の天面に、弾性変形可能な連結部を介して接続され、口筒部への装着時に先端部が口筒部の拡径内周の天面に当接する係止片が配設されていることを特徴とするポンプ付き容器。
【請求項２】
前記上段周壁の下部は、係止片の厚さと同等の段差を介して縮径された段差外周となっていることを特徴とする請求項１に記載のポンプ付き容器。
【発明の詳細な説明】
【技術分野】
【０００１】
本発明は、ポンプ付き容器に関し、特に詰め替えを防止したポンプ付き容器に関するものである。
【背景技術】
【０００２】
内容液を収容した容器本体の口筒部に装着された下部に吸上げパイプを装着したポンプと、ポンプ上部に装着されたノズルヘッドとからなり、ノズルヘッドを押下げることで、容器本体内の内容液を吸上げパイプで吸上げ、ノズルヘッドのノズル口から内容液を噴出させるポンプ付き容器は、従来から周知である。
このような容器において、衛生上、または、悪質な内容液の入れ換えを防止するために口筒部に詰め替えを防止する部材を装着した使い切りのポンプ付き容器も、従来から知られている（例えば、特許文献１参照）。
【先行技術文献】
【特許文献】
【０００３】
【特許文献１】実公平７−２０１号公報
【発明の概要】
【発明が解決しようとする課題】
【０００４】
しかしながら、上記特許文献１のポンプ付き容器は、詰め替えを防止する筒状部材の内周にポンプのシリンダーが挿入されているため、ポンプの取り外しにともない、筒状部材も一緒に容器本体の口筒部から取り外されてしまい、口筒部から簡単に内溶液を詰め替えられるという虞があった。
【０００５】
本発明は、上記問題を解決することを課題とし、ポンプ付き容器において、容器本体の口筒部に装着した詰め替えを防止する部材を簡単に外されることがないようにするポンプ付き容器を提供することを目的とする。
【課題を解決するための手段】
【０００６】
本発明は、上記の課題を解決するため、ポンプ付き容器として、容器本体の口筒部に装着されるポンプを具えるポンプ付き容器であって、容器本体の口筒部内周には、上部を残して拡径された拡径内周が形成され、ポンプは、内周が口筒部の外周に嵌合する装着筒と、シリンダーと、吸上げパイプを有し、容器本体の口筒部内周に、詰め替え防止部材が装着され、前記詰め替え防止部材は、シリンダーを外側から覆うように形成された周壁と、吸上げパイプが挿通される挿通孔が形成された底壁を有し、前記周壁は、上段周壁と、上段周壁の下方に段部を介して形成される中段周壁を有し、前記中段周壁の外径は前記上段周壁の外径より小さくなっており、前記段部の天面に、弾性変形可能な連結部を介して接続され、口筒部への装着時に先端部が口筒部の拡径内周の天面に当接する係止片が配設されていることを特徴とする構成を採用する。
【０００７】
詰め替え防止部材の周壁の具体的実施形態として、前記上段周壁の下部は、係止片の厚さと同等の段差を介して縮径された段差外周となっていることを特徴とする構成を採用する。
【発明の効果】
【０００８】
本発明のポンプ付き容器は、詰め替え防止部材が、シリンダーを外側から覆うように形成された周壁と、吸上げパイプが挿通される挿通孔が形成された底壁を具え、前記周壁は、上段周壁と、上段周壁の下方に段部を介して形成される中段周壁を有し、前記中段周壁の外径は前記上段周壁の外径より小さくなっており、前記段部の天面に、弾性変形可能な連結部を介して接続される係止片を配設し、詰め替え防止部材を容器本体の口筒部に装着したとき、係止片の先端部が口筒部内周に設けた拡径内周の天面に当接し、維持されることで、ポンプを外す際、または、故意に詰め替え防止部材を持ち上げるようにしても、係止片の先端部が拡径内周の天面に当接して抵抗となり、詰め替え防止部材を口筒部から外すことができない。
【０００９】
詰め替え防止部材が口筒部に装着された状態で、内容液を詰め替えようとした場合、容器本体内への液の流路が小径の挿通孔となるために、容器本体内への液の流入が阻止され、詰め替えに時間がかかるため、この詰め替え作業を阻止することができる。
【００１０】
また、詰め替え防止部材の上部周壁の下部を、係止片の厚さと同等の段差を介して縮径された段差外周としたことで、詰め替え防止部材を口筒部に挿入する際に、段差外周と口筒部との間の空間に先端部を上に向けた係止片が入り、係止片の先端部が口筒部の上端縁に当接して係止されたり、内周に当接する等して挿入時の抵抗となることを抑制できる。
【図面の簡単な説明】
【００１１】
【図１】本発明のポンプ付き容器の一部断面側面図である。
【図２】詰め替え防止部材の説明図で、（ａ）は一部断面側面図、（ｂ）は下面図である。
【図３】詰め替え防止部材を容器本体の口筒部に挿入する時の要部拡大図で、（ａ）は挿入開始時の状態を示す図、（ｂ）は挿入途中の状態を示す図、（ｃ）は挿入終了時の状態を示す図である。
【発明を実施するための形態】
【００１２】
次に、本発明の実施形態について、図面を参照して説明する。
図１において、Ａは内容液を収容する容器本体、Ｂは容器本体Ａの口筒部に装着されるポンプ、ＣはポンプＢの上部に装着されるノズルヘッド、Ｄは容器本体Ａの口筒部に挿入されるとともに口筒部内周とポンプＢのシリンダー外周との間に装着される詰め替え防止部材、ＥはポンプＢの外方に装着されるカバー体、Ｆはカバー体の外周に装着される蓋体、ＰはポンプＢと詰め替え防止部材Ｄ上端面との間に挟まれて内方を密封するパッキンである。
【００１３】
容器本体Ａは、口筒部１と胴部２とを具え、口筒部１外周には、所定の高さに嵌合突部３が周設され、嵌合突部３の上方から上に向かって延びる嵌合リブ４が所定の位置に複数突設されている。
口筒部１内周は、上部を残して拡径された拡径内周５が形成されている。
【００１４】
ポンプＢは、容器本体Ａの口筒部１に装着されるシリンダー部Ｂ１と、シリンダー部Ｂ１に対して上方に付勢されるとともに上下動可能な駆動部Ｂ２と、シリンダー部Ｂ１の下部に装着され、容器本体Ａ内の液を下方からシリンダー部Ｂ１内に誘導する吸上げパイプＢ３とからなっている。
【００１５】
シリンダー部Ｂ１は、リング状の上壁６と、上壁６外縁に垂設され、内周が容器本体Ａの口筒部１の外周に嵌合する装着筒７と、上壁６の上方に立設され、ノズルヘッドＣの上下動を案内する案内筒８と、上壁６内縁に垂設されるシリンダー９とを具えている。
シリンダー９の形状に関しては、従来より知られている下方に向かい段階的に縮径していく形状に形成されている。
また、シリンダー９は、上壁６および装着筒７と別体となるように構成してもよい。
【００１６】
装着筒７の内周には、下部に容器本体Ａの嵌合突部３に嵌合する嵌合凹部１０が形成され、嵌合凹部１０の上方には、容器本体Ａの嵌合リブ４と嵌合し、容器本体Ａに対してシリンダー部Ｂ１が回転しないようにする回転止めリブ１１が所定の位置に複数突設されている。
装着筒７の外周は、上部が縮径され、該縮径部の所定の位置にはカバー体Ｅのガタつきを防止する補助リブ１２が複数配設されている。
【００１７】
案内筒８の内周上端には、係止突部１３が突設されている。
シリンダー９の下部は、内周に吸上げパイプＢ３の上部を装着する装着筒部１４となっている。
【００１８】
シリンダー９の内方および駆動部Ｂ２の構成は、公知のものであって、駆動部Ｂ２を下方に押下げることで、吸上げパイプＢ３より内容液を吸上げる構成であればよく、特に図面などの構成に限定されない。
【００１９】
ノズルヘッドＣは、内方下部が駆動部Ｂ２の上部に装着され、上方から押下げることにより、ポンプＢ内で吸上げた内容液を上部外周の所定の位置に配設された噴出孔１５から噴出するようになっている。
ノズルヘッドＣの外周下端部には、シリンダー部Ｂ１の案内筒８の係止突部１３と係合し、ノズルヘッドＣがポンプＢから抜け落ちてしまうことを防止する抜け落ち防止突部１６が突設されている。
【００２０】
ノズルヘッドＣも、公知のものであって、上方から押下げることにより、ポンプＢで吸上げた内容液を噴出孔から噴出することができる構成であればよく、特に図面などの構成に限定されない。
【００２１】
詰め替え防止部材Ｄは、図１、２に示すように、シリンダー部Ｂ１のシリンダー９を外側から覆うように形成された周壁１７と、周壁１７の上端から外方に向けて連設され、容器本体Ａの口筒部１の上端面に下面が当接するフランジ１８と、周壁１７の下端部に連設され、吸上げパイプＢ３が挿通される挿通孔１９が形成されたリング状の底壁２０を具えている。
また、周壁１７と挿通孔１９は、内周の径が、それぞれ、シリンダー９の外周および吸上げパイプＢ３の外周の径以上となるように形成されている。
【００２２】
周壁１７は、シリンダー９の形状に合わせて下方に向かい段階的に縮径していく形状に形成され、少なくとも上部は、他の周壁に比べ大径に形成された上段周壁１７ａとなっており、その下方には、段部２１を介して、縮径された中段周壁１７ｂとなっている。
【００２３】
上段周壁１７ａの外周には、上部が容器本体Ａの口筒部１の上部内周に密に挿入される挿入外周２２となっており、下部は、挿入外周２２比べて縮径された段差外周２３となっている。
【００２４】
段部２１の天面外縁には、間隔を開けて配設される弾性変形可能な連結部２４を介して接続される係止片２５が複数垂設されている。
本実施形態の連結部２４は、係止片２５に比べて薄肉に形成されている。
係止片２５は、詰め替え防止部材Ｄを容器本体Ａの口筒部１にセットしたときに、連結部２４を支点に上下反転し、先端部２５ａが口筒部１の拡径内周５の天面に当接する長さに形成されている。
また、係止片２５の肉厚は、上段周壁１７ａの挿入外周２２と段差外周２３との径の差に比べ、同等または薄いものに形成されている。
【００２５】
図１に示すように、カバー体Ｅは、シリンダー部Ｂ１の案内筒８を覆う上部周壁２６ａと、装着筒７を覆う下部周壁２６ｂを具えている。
カバー体Ｅは、装着筒７の外周に接着または嵌合等によって装着されている。
下部周壁２６ｂの外周には、蓋体Ｆの閉蓋を維持させる係止突部２８が突設されている。
なお、カバー体Ｅは設けなくてもよく、この場合は、例えば蓋体Ｆが装着筒７の外周に直接、装着されるように構成することができる。
【００２６】
蓋体Ｆは、カバー体ＥおよびノズルヘッドＣを覆う外周壁２９と頂壁３０とを具え、外周壁２９の内周下端部には、カバー体Ｅの係止突部２８と係合する係止突部３１が突設されている。
【００２７】
ここで、本実施形態の使用態様と作用効果について説明する。
まず、詰め替え防止部材Ｄは、先端部２５ａが下方に向いた係止片２５を、図３（ａ）  に示すように、連結部２４を支点に少なくとも先端部２５ａが横方外側に向くように変形させた後、容器本体Ａの口筒部１内周に詰め替え防止部材Ｄを挿入していく。
このとき、詰め替え防止部材Ｄをシリンダー９の外面に装着し、ポンプＢと詰め替え防止部材Ｄとを一体化した状態で挿入することが好ましい。
この場合は、例えばフランジ１８が装着筒７の内周上部にアンダーカット嵌合されている。
なお、詰め替え防止部材Ｄを口筒部１に挿入した後、この詰め替え防止部材ＤにポンプＢを挿入してもよい。
【００２８】
その際、向きを変えた係止片２５の下面が容器本体Ａの口筒部１の上端部に当接し、さらに詰め替え防止部材Ｄを下降させていくと、図３（ｂ）に示すように、連結部２４を支点に係止片２５の先端部２５ａが上方に向くとともに、係止片２５自体が上段周壁１７ａの段差外周２３と挿入外周２２との外径差により、段差外周２３と口筒部１との間の空間に入り込んでいく。
【００２９】
係止片２５自体が前記空間に入り込むことで、係止片２５自体が詰め替え防止部材Ｄを口筒部１に挿入させる際の抵抗となることを抑制できる。
【００３０】
前記挿入の終了時は、図３（ｃ）に示すように、詰め替え防止部材Ｄの周壁１７の挿入外周２２が容器本体Ａの口筒部１の上部内周に密接するとともに、フランジ１８の下面が口筒部１の上端面に当接し、容器本体Ａの口筒部１に詰め替え防止部材Ｄが装着される。
その際、係止片２５と容器本体Ａの口筒部１の上部内周との当接がなくなり、連結部２４の弾性力で係止片２５の先端部２５ａが外側に向かって戻っていくが、先端部２５ａが今度は口筒部１の拡径内周５の周面に当接し、その状態が維持される。
このとき、口筒部１と段差外周２３との間の空間（隙間）は、係止片２５が下方に向けて回動することを防止する大きさに設定されている。
【００３１】
また、ポンプＢの上部にはノズルヘッドＣが装着され、詰め替え防止部材Ｄのフランジ１８と上壁６との間には、パッキンＰが配置されている。
さらに、シリンダー部Ｂ１の下部に装着した吸上げパイプＢ３が、詰め替え防止部材Ｄの底壁２０の挿通孔１９に先端から挿通されており、詰め替え防止部材Ｄ下端より下方に延びている状態となっている。
【００３２】
図１に示すように、シリンダー部Ｂ１の装着筒７が口筒部１に外嵌されることにより、ポンプＢおよび詰め替え防止部材Ｄが容器本体Ａに装着される。
その際、シリンダー部Ｂ１の装着筒７内周の回転止めリブ１１と口筒部１外周の嵌合リブ４とが嵌合し、シリンダー部Ｂ１が容器本体Ａに対して回転してしまうことを防止している。
なお、装着筒７が口筒部１に螺合等の手段により装着されてもよい。
【００３３】
容器本体Ａ内の内容液を使用する際には、蓋体Ｆをカバー体Ｅから外し、ノズルヘッドＣを押下げることで、ポンプＢにより液を吸上げ、ノズルヘッドＣの噴出孔１５から外に噴出されるようになっている。
【００３４】
容器本体Ａ内の内容液を詰め替えようとして、シリンダー部Ｂ１の装着筒７と容器本体Ａの口筒部１との嵌合を外し、ポンプＢを口筒部１から抜いたとしても、口筒部１には、詰め替え防止部材Ｄが残ることとなる。
【００３５】
つまり、シリンダー部Ｂ１を外す際に、シリンダー部Ｂ１が詰め替え防止部材Ｄの内周に接触し、持ち上げる方向に力が作用しても、詰め替え防止部材Ｄの係止片２５の先端部２５ａが、口筒部１の拡径内周５の周面および天面に当接して抵抗となり、詰め替え防止部材Ｄが口筒部１から外れてしまうことを防止している。
さらに、直接、詰め替え防止部材Ｄを口筒部１から外そうとしても、先端部２５ａが、口筒部１の拡径内周５の周面および天面に当接して抵抗となり、外すことができない。
【００３６】
詰め替え防止部材Ｄを付けたまま、容器本体Ａ内に液を注入しようとして、詰め替え防止部材Ｄの内方に液を注入したとしても、流路となる挿通孔１９は小径であるため、液の表面張力により容器本体Ａ内への液の流入が阻止される。
また、流入したとしても、挿通孔１９は小径であるため、滴下に著しく時間がかかり、詰め替えることは現実的でない。
【００３７】
なお、本実施形態では、ノズルヘッドとしてポンプで吸上げた液を噴出孔から霧状に噴出するスプレー式の噴出器を示したが、これに代えて、ノズルから液状のまま吐出する吐出器であっても構わないし、あるいは、ポンプ内で泡状としてノズルから吐出するいわゆるフォーマーポンプ式の吐出器であってもよい。
また、容器本体Ａ内にシリンダー垂下しない、いわゆるトリガーポンプに詰め替え防止部材Ｄを採用してもよい。
【産業上の利用可能性】
【００３８】
本発明のポンプ付き容器は、内容液を噴出孔から霧状に噴出する噴出器に限らず、内容液を液状のまま吐出する吐出器や内容液を泡状にして吐出するフォーマーポンプにも適用できるとともに、内容液使用後は、容器内に液を再充填、または、詰め替えることを防止でき、特に、洗浄料や化粧料、医薬品などの使い切りタイプのポンプ付き容器として好適である。
【符号の説明】
【００３９】
Ａ        容器本体
Ｂ        ポンプ
Ｂ１      シリンダー部
Ｂ２      駆動部
Ｂ３      吸上げパイプ
Ｃ        ノズルヘッド
Ｄ        詰め替え防止部材
Ｅ        カバー体
Ｆ        蓋体
Ｐ        パッキン
１        口筒部
２        胴部
３        嵌合突部
４        嵌合リブ
５        拡径内周
６        上壁
７        装着筒
８        案内筒
９        シリンダー
１０        嵌合凹部
１１        回転止めリブ
１２        補助リブ
１３、２８、３１    係止突部
１４        装着筒部
１５        噴出孔
１６        抜け落ち防止突部
１７        周壁
１７ａ      上段周壁
１７ｂ      中段周壁
１８        フランジ
１９        挿通孔
２０        底壁
２１        段部
２２        挿入外周
２３        段差外周
２４        連結部
２５        係止片
２５ａ      先端部
２６ａ      上部周壁
２６ｂ      下部周壁
２９        外周壁
３０        頂壁
【図１】
0006345082.tif 000002
【図２】
0006345082.tif 000003
【図３】
0006345082.tif 000004